(57)【要約】  【課題】  本発明は、低濃度の揮発性有機溶剤が含有しているガスを、効率よく、且つ、揮発性有機溶剤をガスタービンエンジンの燃料の一部として用いることで燃料を減らしそれだけ省エネルギにも貢献できる低濃度揮発性有機溶剤の処理装置を提供することを目的とする。  【解決手段】  低濃度ＶＯＣを含有している空気（低濃度ＶＯＣ含有ガス）より、ＶＯＣを吸着し、濃度を高めて（濃縮ＶＯＣ含有ガスとして）排出する濃縮装置１と、濃縮装置１にて排出された濃縮ＶＯＣ含有ガスを冷却する冷却装置２と、冷却装置２にて冷却された濃縮ＶＯＣ含有ガスを、燃焼用酸素を含有する吸気ガスとして燃料と混合した混合ガス燃焼させて動力を発生するガスタービンエンジン３と、ガスタービンエンジン３に連設され発電を行う発電機４とを有する低濃揮発性有機溶剤含有ガスの処理装置Ａ。【選択図】      図１
2005061353.tif 000002
【特許請求の範囲】
【請求項１】
低濃度の揮発性有機溶剤（ＶＯＣ）を含有するガスのＶＯＣ濃度を高め、濃縮ＶＯＣ含有ガスとする濃縮装置と、
前記濃縮装置にて濃縮された濃縮ＶＯＣ含有ガスを冷却する冷却装置と、
前記冷却装置にて冷却されたＶＯＣ含有ガスを燃焼用酸素含有ガスとして動力を発生するガスタービンエンジンと、を有しており、
前記ガスタービンエンジンにて前記ＶＯＣ含有ガスを燃焼用酸素含有ガスとして発電することを特徴とする低濃度揮発性有機溶剤含有ガスの処理装置。
【請求項２】
前記冷却装置は冷媒式の冷却装置である請求項１に記載の低濃度揮発性有機溶剤含有ガスの処理装置。
【請求項３】
低濃度の揮発性有機溶剤（ＶＯＣ）を含有する空気が多く存在する密閉空間と、
前記空間に散在する低濃度のＶＯＣを含有するガスのＶＯＣ濃度を高め、濃縮ＶＯＣ含有ガスとして排出する濃縮装置と、
前記濃縮装置から排出された前記濃縮ＶＯＣ含有ガスを冷却する冷却装置と、
前記冷却装置にて冷却された前記濃縮ＶＯＣ含有ガスを燃焼用酸素含有ガスとして用いるガスタービンエンジンと、
前記ガスタービンより排出されるガスの熱を吸収する熱交換器と、を有しており、
前記濃縮装置にてＶＯＣを吸着された後の空気は前記所定のエリアに戻され、
前記濃縮装置には前記ＶＯＣを吸着する吸着剤が備えられており、吸着剤に高温の乾燥空気を供給する乾燥熱風供給配管を備えており、
前記ガスタービンエンジンは発電機に接続されており、該ガスタービンエンジンのタービンより排出された排気ガスは熱交換器にて新たな空気と熱交換を行い、燃焼にて生成された環境負荷物質を取り除いた後に大気中に放出され、前記熱交換器にて熱交換された新たな空気が前記濃縮装置の乾燥熱風供給配管に送られることを特徴とする低濃度揮発性有機溶剤含有ガスの処理装置。
【請求項４】
前記密閉空間は工場であることを特徴とする請求項３に記載の揮発性有機溶剤の処理装置。
【請求項５】
前記冷却装置は冷媒式の冷却装置である請求項３又は請求項４に記載の低濃度揮発性有機溶剤含有ガスの処理装置。
【請求項６】
前記冷却装置は外部と熱を交換するための熱交換器である請求項３又は請求項４に記載の低濃度揮発性有機溶剤含有ガスの処理装置。
【発明の詳細な説明】
【技術分野】
【０００１】
本発明は、工場内に散出する揮発性有機溶剤を含むガスを効率よく処理するための低濃度揮発性有機溶剤含有ガスの処理装置に関する。
【背景技術】
【０００２】
塗装工場、印刷工場等では、大量の揮発性有機溶剤（Volatile Organic Compound：ＶＯＣ）を使用している。ＶＯＣとしては例えば、ｎ−エチルモルピリン、トルエン、エタノール、メタノール、デカブロモジフイニルオキサイド、エチルアセテート、ベンジン、ポリスチレン、トリクロールエチレン等を挙げることができる。前記蒸発したＶＯＣは前記工場内の空間に蒸散されて低濃度ＶＯＣ含有ガスとして常温状態の空気中に存在していることが多い。この低濃度ＶＯＣ含有ガスは工場全体に散在しており、めまいや吐き気等人体に悪影響を与えるものも多く含まれている。また、前記の低濃度ＶＯＣ含有ガスが処理されることなく多量に大気中に放出されている場合も多くある。
【０００３】
そこで、前記工場内の低濃度ＶＯＣ含有ガスを処理する方法として、前記工場内に散在している低濃度ＶＯＣ含有ガスを集めて、濃縮装置にて濃縮しＶＯＣ濃度を高めた濃縮ガスを直接燃焼方式や触媒燃焼方式等の排ガス用の燃焼装置に導入してＶＯＣを燃焼処理すると共に、該燃焼装置から排出される燃焼排気が保有している熱を熱交換器等により回収する方法が用いられている。
【０００４】
また、前記低濃度ＶＯＣ含有ガスや前記濃縮装置にて濃縮したＶＯＣ含有ガスを燃焼用酸素含有ガスとして、燃料と共に工場熱源用のボイラに供給することでＶＯＣを燃焼させて処理する方法も用いられている。
【０００５】
さらに上述のような従来の低濃度ＶＯＣ含有ガスの処理方法よりも、熱の回収効率のよい方法として、低濃度ＶＯＣ含有ガスを濃縮装置でＶＯＣ濃度を高め、該濃度を高めたＶＯＣ含有ガスを燃焼用酸素含有ガスとして発電用ガスタービンエンジンの吸入空気として用いる方法がある。
【０００６】
図４に従来の低濃度ＶＯＣ含有ガスの処理装置の概略配置図を、図２に濃縮装置の概略図を示す。
【０００７】
図４に示す低濃度ＶＯＣ含有ガスの処理装置Ｂは、大まかに以下のとおり動作する。低濃度ＶＯＣ含有ガスを濃縮装置１に送り、濃縮装置１に送られてきた低濃度ＶＯＣ含有ガスは濃縮装置１の吸着剤にてＶＯＣを取り除かれる。ＶＯＣを取り除かれた空気は空調配管等を利用して所定の位置に送られるか、大気中に解放される。
【０００８】
図２に示すように濃縮装置１は、中心軸１０を回動可能に支持された円筒形のケース１１と、ケース１１を支える支持部材１２と、ケース１１内部に充填されるＶＯＣを吸着する吸着剤１３と、低濃度ＶＯＣ含有ガスを供給するガス供給配管１４と、ＶＯＣが吸着剤１３にて吸着されることで浄化された浄化空気を送出する浄化空気送出配管１５と、ＶＯＣを吸着した吸着剤１３に高温の乾燥空気を吹き付ける乾燥熱風供給配管１６と、ＶＯＣを含有している高温の乾燥空気を排出するガス排出配管１７とを備えている。
【０００９】
吸着剤１３にて吸着されたＶＯＣは、熱によって吸着剤１３より脱着される。すなわち、乾燥熱風供給配管１６より吸着剤１３に高温の乾燥空気を吹き付けることで吸着剤１３に吸着されているＶＯＣを脱着し、高温の乾燥空気と共に排出配管１７より排出する。このとき、ガス供給配管１４より供給される空気よりも少ない量の高温の乾燥空気で脱着することで、ＶＯＣ含有濃度が高く、高温の空気を排出配管１７から排出する。
【００１０】
吸着剤１３からＶＯＣを脱着する方法としては、上述のように熱を使う方法以外に、減圧による脱着、不活性ガスによる脱着、他の吸着剤や溶媒を加える置換脱着等があるが、低濃度ＶＯＣガスは、複数種のＶＯＣを含んだガスである場合があるので、熱以外の方法ではＶＯＣの成分ごとに脱着を行わなければならず、非常に手間がかかる。
【００１１】
そして、濃縮装置１にてＶＯＣ成分が濃縮されたＶＯＣ含有ガスは燃焼用酸素含有ガスとして、ガスタービンエンジン３の吸気管３１に送られ、圧縮機３Ｃにて圧縮される。圧縮された燃焼用酸素含有ガスは再生器３Ｒにて後述のタービン３Ｔより排出される排ガスと熱交換を行い、燃焼室３Ｂに送られる。燃焼室３Ｂでは燃焼用酸素含有ガスと燃料を混合した混合ガスを燃焼させ燃焼ガスをタービン３Ｔに送ってタービン３Ｔを回し、タービン３Ｔに接続されている回転軸３２を介して発電機４を駆動して発電する。
【００１２】
回転軸３２は圧縮機３Ｃとも接続しており、タービン３Ｔにて発生した回転エネルギの一部を圧縮機３Ｃを駆動させるための回転エネルギとして用いる。タービン３Ｔより排出された排ガスは再生器３Ｒに送られ、圧縮機３Ｃにて圧縮された燃焼用酸素含有ガスに熱を渡す。
【特許文献１】特開２００２−１９５０５２号公報
【特許文献２】特開２００１−７０７５０号公報
【発明の開示】
【発明が解決しようとする課題】
【００１３】
しかしながら、濃縮装置１から排出される濃縮されたＶＯＣ含有ガスは高温の乾燥空気にて吸着剤１３からＶＯＣを脱着するので、排出される濃縮ＶＯＣ含有ガスは高温である。
【００１４】
ガスタービンエンジンの場合、圧縮機に送られる空気又は燃焼用酸素を含有したガスは温度が低いほうが効率よく動力を発生することが可能である。前記濃縮装置から排出されてきた排出ガスは高温であり、ガスタービンエンジンの圧縮機に送入するとガスタービンエンジンの出力が上がらない。
【００１５】
このような問題を鑑みて、低濃度の揮発性有機溶剤が含有しているガスを、効率よく、且つ、揮発性有機溶剤をガスタービンエンジンの燃料の一部として用いることで燃料を減らしそれだけ省エネルギにも貢献できる低濃度揮発性有機溶剤の処理装置を提供することを目的とする。
【００１６】
また本発明は、所定エリア内に散在する低濃度の揮発性有機溶剤を含有するガスを効率よく回収し、且つ、揮発性有機溶剤をガスタービンエンジンの燃料の一部として用いる省エネルギコジェネレーションシステムにて処理する低濃度揮発性有機溶剤の処理装置を提供することを目的とする。
【課題を解決するための手段】
【００１７】
上記目的を達成するために本発明は、低濃度の揮発性有機溶剤（ＶＯＣ）を含有するガスのＶＯＣ濃度を高める濃縮装置と、前記濃縮装置にて濃縮されたＶＯＣ含有ガスを冷却する冷却装置と、前記冷却装置にて冷却されたＶＯＣ含有ガスを燃焼用酸素含有ガスとして動力を発生するガスタービンエンジンと、を有しており、前記ガスタービンエンジンにて前記ＶＯＣ含有ガスを燃焼用酸素含有ガスとして発電することを特徴とする低濃度揮発性有機溶剤含有ガスの処理装置を提供する。
【００１８】
このようにすることで、低濃度のＶＯＣを含有するガスをガスタービンエンジンの燃料の一部として用いるので、効果的に人体にとって有害なＶＯＣ含有ガスを効率よく処理することが可能である。また、濃縮装置より排出された濃縮ＶＯＣ含有ガスを冷却しているので、ガスタービンエンジンの動作効率も高くなり、それだけ、エネルギ消費を抑えることが可能である。
【００１９】
また本発明は、低濃度の揮発性有機溶剤（ＶＯＣ）を含有する空気が多く存在する密閉空間と、前記空間に散在する低濃度のＶＯＣを含有するガスのＶＯＣ濃度を高め、濃縮ＶＯＣ含有ガスとして排出する濃縮装置と、前記濃縮装置から排出された前記濃縮ＶＯＣ含有ガスを冷却する冷却装置と、前記冷却装置にて冷却された前記濃縮ＶＯＣ含有ガスを燃焼用酸素含有ガスとして用いるガスタービンエンジンと、を有しており、前記濃縮装置にてＶＯＣを吸着された後の空気は前記所定のエリアに戻され、前記濃縮装置には前記ＶＯＣを吸着する吸着剤が備えられており、吸着剤に高温の乾燥空気を供給する乾燥熱風供給配管を備えており、前記ガスタービンエンジンは発電機に接続されており、該ガスタービンエンジンのタービンより排出された排気ガスは熱交換器にて新たな空気と熱交換を行い、燃焼にて生成された環境負荷物質を取り除いた後大気中に放出され、前記熱交換器にて熱交換された新たな空気が乾燥熱風供給配管に送られることを特徴とする低濃度揮発性有機溶剤含有ガスの処理装置を提供する。
【００２０】
このようにすることで、密閉空間内に散在された低濃度ＶＯＣ含有ガスを、ガスタービンエンジンにて発電を行うコジェネレーションシステム等の燃料の一部として用いるので、システム全体で見るとエネルギ消費量を減らすことが可能である。また、冷却によりガスタービンエンジンの動作効率を高めてありさらに効率よく低濃度揮発性有機溶剤含有ガスを処理することが可能である。前記密閉空間内で作業又は生活する場合でも該密閉空間内に散在するＶＯＣガスを効率よくエネルギに変換することで処理するので、快適に作業又は生活をすることが可能である。
【００２１】
前記密閉空間としては工場を挙げることができる。前記工場としては、製紙工場やゴム、粘着テープ、磁気テープ、パッキン及び繊維を取り扱う工場を上げることができるが、これに限定されるものではなく、作業途中にＶＯＣ含有ガスが発生する工場に対し広く採用することが可能なシステムである。
【００２２】
前記冷却装置としては、例えば冷媒として水を用いる水冷式の冷却装置を挙げることができる。前記冷媒としてはアンモニア、プロパン、二酸化炭素、フロン等の物質を広く採用することが可能である。また、冷媒式の冷却装置に限られるものではなく、濃縮装置より排出されてきた濃縮ＶＯＣ含有ガスをガスタービンエンジンの動作効率を高めることができる温度まで冷却することができるものを広く採用することが可能である。
【００２３】
また前記冷却装置として、外部と熱を交換するための熱交換器であるものも例示できる。外部と熱交換することで、ガスタービンエンジンの吸気温度を下げることができると共に、熱を他の部分に効率よく受け渡すことが可能であり、それだけ省エネルギである。
【発明の効果】
【００２４】
本発明によると、低濃度の揮発性有機溶剤が含有しているガスを、効率よく、且つ、揮発性有機溶剤をガスタービンエンジンの燃料の一部として用いることで燃料を減らしそれだけ省エネルギにも貢献できる低濃度揮発性有機溶剤の処理装置を提供することができる。
【００２５】
また本発明によると、所定エリア内に散在する低濃度の揮発性有機溶剤を含有するガスを効率よく回収し、且つ、揮発性有機溶剤をガスタービンエンジンの燃料の一部として用いる省エネルギコジェネレーションシステムにて処理する低濃度揮発性有機溶剤の処理装置を提供することができる。
【発明を実施するための最良の形態】
【００２６】
本発明を実施するための最良の形態について図面を参照しながら説明する。
【００２７】
図１は本発明にかかる揮発性有機溶剤の処理装置の概略配置図である。従来の揮発性有機溶剤の処理装置と実質上同一の部材には、便宜上同一の符号が付してある。
【００２８】
図１に示す揮発性有機溶剤（ＶＯＣ）の処理装置Ａは、ＶＯＣを低濃度で含有している空気（低濃度ＶＯＣ含有ガス）より、ＶＯＣを吸着し、濃度を高めて（濃縮ＶＯＣ含有ガスとして）排出する濃縮装置１と、濃縮装置１にて排出された濃縮ＶＯＣ含有ガスを冷却する冷却装置２と、冷却装置２にて冷却された濃縮ＶＯＣ含有ガスを、燃焼用酸素を含有する吸気ガスとして燃料と混合した混合ガス燃焼させて動力を発生するガスタービンエンジン３と、ガスタービンエンジン３に連設され発電を行う発電機４と、ガスタービンより排出される排ガスから熱を吸収する熱交換器５とを備えている。
【００２９】
ＶＯＣとしては、ｎ−エチルモルピリン、トルエン、エタノール、メタノール、デカブロモジフイニルオキサイド、エチルアセテート、ベンジン、ポリスチレン、トリクロールエチレン等を挙げることができる。
【００３０】
図２（Ａ）に濃縮装置の概略斜視図を図２（Ｂ）に側面図をそれぞれ示す。
【００３１】
図１及び図２（Ａ）、（Ｂ）に示す濃縮装置１は円筒形のケース１１と、ケース１１を回動可能に支持する支持部材１２と、ケース１１内部に収納される吸着剤１３と、ケース１１と同径の低濃度ＶＯＣ含有ガスを供給するガス供給配管１４と、吸着剤１３にてＶＯＣが吸着されることで浄化された空気を送出するケース１１と同径の浄化空気送出配管１５と、吸着剤１３に高温の乾燥空気を吹き付けるケース１１の一部に設けられた熱風供給配管１６と、ＶＯＣを含有している高温の乾燥空気を排出する熱風供給配管１６と同径のガス排出配管１７とを備えている。
【００３２】
円筒形のケース１１は中心軸１０を有しており、中心軸１０にて支持部材１２に回動可能に支持されている。また、円筒の内側は中心軸１０を中心として、等中心角度（それには限定されないがここでは４５°）間隔で８個の小空間１１１〜１１８に分割されている。この小空間１１１〜１１８のそれぞれの内部には吸着剤１３が充填されている。円筒ケース１１の円筒の両端部１１ｓ、１１ｅはメッシュ状に形成されており吸着剤１３が、ケース１１よりはみ出さず、且つ、ガス供給配管１４から供給されるＶＯＣ含有ガスが自由に通過できるようになっている。また、円筒両端部の形状はメッシュに限られるものではなく、ＶＯＣを含有するガスが自由に通ることができ、吸着剤１３が脱落しない形状のものを広く採用することができる。
【００３３】
吸着剤１３はガス供給配管１４より供給される低濃度ＶＯＣ含有ガスからＶＯＣを吸着することで、ＶＯＣを取り除くものを広く採用することが可能である。また、吸着剤１３よりＶＯＣを脱着する方法としては、熱を用いての脱着、減圧による脱着、不活性ガスによる脱着、他の吸着剤や溶媒を加える置換脱着等があるが、ここでは熱を用いての脱着を採用している。他の方法の場合、ＶＯＣの種類に合わせて個別に対応しなくてならず、非常に手間とコストがかかるため、ここでは熱を用いての脱着を採用し、熱を用いた脱着方法に適当な吸着剤として活性炭を使用している。
【００３４】
高温の乾燥空気を吸着剤１３に吹き付ける熱風供給配管１６は、図２（Ａ）、（Ｂ）に示すように、ケース１１の上端部エリア１８に取り付けられている。ここで、ガス供給配管１４は上端部エリア１８以外の部分のみ低濃度ＶＯＣ含有ガスを吹き付けるものである。また、浄化空気送出配管１５も上端部エリア１８を避けて配管されている。
【００３５】
ケース１１は所定のタイミングで図２（Ｂ）に示す矢印ａｒ１で示す方向に回動しており、小空間１１１〜１１８に備えられた吸着剤１３に吸着されたＶＯＣは、熱風供給配管１６が取り付けられた上端部エリア１８に到達したときに、熱風供給配管１６より吹き付けられる高温の乾燥空気にて吸着剤１３より脱着され、高温の乾燥空気に溶出する。高温の乾燥空気は、ガス供給配管１４より供給された低濃度ＶＯＣ含有ガスよりも小さい体積であり、結果として、ＶＯＣ濃度は上昇する。
【００３６】
濃縮ＶＯＣ含有ガスは熱風供給配管１６のケース１１を挟んで反対側に取り付けられたガス排出配管１７より、濃縮装置１１の外部に排出される。排出された濃縮ＶＯＣ含有ガスは、高温であり、そのままではガスタービンエンジン３の燃焼用空気含有ガスとして適切ではないので、冷却装置２に送られる。冷却装置２は、それには限定されないがここでは、冷媒式の冷却装置を採用している。
【００３７】
冷却装置２にて冷却された濃縮ＶＯＣ含有ガスは燃焼用酸素含有ガスとして、ガスタービンエンジン３の吸気管３１に送られ、圧縮機３Ｃにて圧縮される。圧縮された燃焼用酸素含有ガスは再生器３Ｒにて後述のタービン３Ｔより排出される排ガスと熱交換を行い、燃焼室３Ｂに送られる。燃焼室３Ｂでは燃焼用酸素含有ガスと燃料を混合した混合ガスを燃焼させ燃焼ガスをタービン３Ｔに送ってタービン３Ｔに接続されている回転軸３２と接続されている発電機４を駆動して発電する。
【００３８】
タービン３Ｔから排出される高温の排出ガスは、再生器３Ｒに送られて、圧縮機３Ｃにて圧縮された濃縮ＶＯＣ含有ガスに熱をわたす。排ガスは再生器３Ｒにて濃縮ＶＯＣ含有ガスに熱をわたしても、十分高温であり、熱交換器５にて、外部に熱をわたす。このとき熱交換器５内部に送られた水は排ガスより熱を奪い、蒸気として熱交換器５より排出される。
【００３９】
以上のように、ＶＯＣを濃縮ＶＯＣ含有ガスとして燃料と混合し、燃焼するので、所定の熱量を得るためにもＶＯＣが燃焼するときに発生する熱の分だけ燃料を減らすことが可能であり、それだけ、省エネルギで発電することが可能である。また、ガスタービンエンジン３は吸気温度が低いほうが動作効率は高いことは周知の事実であり、吸気管３１に濃縮ＶＯＣ含有ガスを送る前に冷却装置２を用いて冷却しているので、ガスタービンエンジン３の動作効率が高くなる。
【００４０】
図３に本発明にかかる低濃度ＶＯＣ含有ガスの処理装置の一例を採用した塗装工場の概略配置図を示す。
【００４１】
塗装工場において、塗装に用いる塗料やシンナーには多くのＶＯＣが含まれており、蒸発したＶＯＣが工場内の空気と混ざって低濃度ＶＯＣ含有ガスとなり、工場内部に広く散在する。また、塗装工場では、ゴミや塵を嫌って密閉されており、さらには、塗装品質を保つために温度、湿度の管理も行われている。
【００４２】
図３に示す塗装工場ＦＡ内部に散在した低濃度ＶＯＣガスを、空調配管ＡＣを用いて工場ＦＡ内部の空気と共に濃縮装置１に送る。このとき、工場ＦＡ内部は空気調節がされてあり、温度は３０℃である。濃縮装置１の吸着剤１３は低濃度ＶＯＣ含有ガスよりＶＯＣを吸着してＶＯＣを取り除き、ＶＯＣを取り除かれ、浄化された空気は空調配管ＡＣを通って工場内に戻される。
【００４３】
吸着剤１３に熱風供給配管１６より高温の乾燥空気を吹き付けて、吸着されたＶＯＣを脱着する。ここで供給される高温の乾燥空気の温度は１５０℃である。ＶＯＣは熱風供給配管１６より吹き付けられる高温の乾燥空気にて吸着剤１３より脱着され、高温の乾燥空気に溶出する。高温の乾燥空気は、ガス供給配管１４より供給された低濃度ＶＯＣ含有ガスよりも小さい体積であり、結果として、ＶＯＣ濃度は上昇する。
【００４４】
濃縮ＶＯＣ含有ガスは熱風供給配管１６のケース１１を挟んで反対側に取り付けられたガス排出配管１７より、濃縮装置１の外部に排出される。排出された濃縮ＶＯＣ含有ガスは約５０℃であり、そのままではガスタービンエンジン３の吸気として適切ではないので、冷却装置２に送られる。冷却装置２は、それには限定されないがここでは、冷媒式の冷却装置を採用している。濃縮ＶＯＣ含有ガスは冷却装置２にて、約２０℃まで冷却されてガスタービンエンジン３の吸気として吸気管３１に送られる。
【００４５】
濃縮ＶＯＣ含有ガスは燃焼用酸素含有ガスとして、ガスタービンエンジン３を駆動し、ガスタービンエンジン３に接続された発電機４にて発電した後、排ガスとして排出される。このとき、ガスタービンエンジン３のタービン３Ｔより排出されたときの温度は約５００℃である。排ガスは熱交換器５に送られ、熱交換器５で水と熱交換する。排ガスの熱によって加熱された水は加熱蒸気として外部の蒸気にて動作する機器等に送られる。
【００４６】
さらに熱交換器５は、外部よりガスタービンエンジンの燃焼用酸素を多く含む空気を取り込み排ガスと熱交換をすることで、高温の乾燥空気として吐出する。このとき、熱交換器５より吐出される乾燥空気の温度は約１５０℃である。この高温の乾燥空気は濃縮装置１の熱風供給配管１６に送られ、濃縮装置１に供給され、上述のとおり吸着剤１３に吹き付けることで吸着剤１３に吸着されたＶＯＣを脱着する。
【００４７】
熱交換器５より排出される排ガスは外部に設けられた浄化装置６を通して、排ガス中に含まれる硫黄酸化物、窒化酸素等の環境負荷の高い物質を取り除き大気に排出される。
【００４８】
以上のようにして、塗装工場ＦＡの内部の低濃度ＶＯＣ含有ガスを効率的に処理すると共に、ＶＯＣをガスタービンエンジン３の補助燃料として用いるので、コジェネレーションシステムの燃料消費を抑えることが可能である。さらに、ガスタービンエンジン３の吸気温度を下げているので、ガスタービンエンジン３の動作効率を高めることができ、より省エネルギの工場内コジェネレーションシステムとすることが可能である。
【００４９】
上記の実施例では、低濃度揮発性有機溶剤含有ガスの処理装置の適用例として塗装工場を例示しているがそれに限定されるものではなく、製紙工場やゴム、粘着テープ、磁気テープ、パッキン及び繊維を取り扱う工場等、作業途中にＶＯＣ含有ガスが発生する工場をに広く適用することが可能である。
【図面の簡単な説明】
【００５０】
【図１】本発明にかかる低濃度揮発性有機溶剤含有ガスの処理装置の一例の概略ブロック図である。
【図２】図（Ａ）は濃縮装置の該略斜視図であり、図（Ｂ）は濃縮装置の概略正面図である。
【図３】本発明にかかる低濃度揮発性有機溶剤含有ガスの処理装置を採用した一例である塗装工場の概略ブロック図である。
【図４】従来の低濃度揮発性有機溶剤含有ガスの処理装置の一例の概略ブロック図である。
【符号の説明】
【００５１】
１  濃縮装置
１１  ケース
１２  支持部材
１３  吸着剤
１４  ガス供給配管
１５  浄化空気送出配管
１６  熱風供給配管
１７  ガス排出配管
１８  上端部エリア
２  冷却装置
３  ガスタービンエンジン
３Ｃ  圧縮機
３Ｔ  タービン
３Ｒ  再生器
３Ｂ  燃焼室
３１  吸気管
３２  回転軸
４  発電機
５  熱交換器
６  浄化装置
【図１】
2005061353.tif 000003
【図２】
2005061353.tif 000004
【図３】
2005061353.tif 000005
【図４】
2005061353.tif 000006